(57)【要約】【課題】  液晶を用いた画像表示装置で画像を観察する際に、正しい色で画像を見ることのできる観察角度を観察者が簡単に見つけ出せるようにすること。【解決手段】  液晶を用いた画像表示装置において、液晶パネル（９）と、液晶パネルに周辺に配置された所定色の参照色着色領域（１３、１４）と、液晶パネル上の少なくとも参照色着色領域に隣接する部分に、前記所定色を表示させる制御手段とを有する。【選択図】  図２
2005128155.tif 000002
【特許請求の範囲】
【請求項１】
液晶を用いた画像表示装置であって、
液晶パネルと、
前記液晶パネルの周辺に配置された所定色の色参照手段と、
前記液晶パネル上の少なくとも前記色参照手段に隣接する部分に、前記所定色を表示させる制御手段と
を有することを特徴とする画像表示装置。
【請求項２】
前記色参照手段は、前記液晶パネルを支持する枠に着色された領域であることを特徴とする請求項１に記載の画像表示装置。
【請求項３】
前記色参照手段は、前記液晶パネルを支持する枠に着脱可能に取り付けられていることを特徴とする請求項１に記載の画像表示装置。
【請求項４】
前記制御手段は、前記所定色の表示の有無を切り替え可能であることを特徴とする請求項１乃至３のいずれかに記載の画像表示装置。
【請求項５】
前記制御手段は、前記所定色の表示開始後、所定時間経過後に前記所定色の表示を終了するように制御することを特徴とする請求項４に記載の画像表示装置。
【請求項６】
前記所定色の表示の有無を切り替える切り替え手段を更に有し、
前記制御手段は、前記切り替え手段による指示に基づいて、前記所定色の表示の有無を切り替えることを特徴とする請求項４に記載の画像表示装置。
【発明の詳細な説明】
【技術分野】
【０００１】
本発明は、画像をモニタするための、液晶を用いた画像表示装置に関するものである。
【背景技術】
【０００２】
従来、ディジタルカメラ等に用いられる画像表示装置は、液晶パネルをバックライトによって照明し、表示を行うものが主流となっている。
【０００３】
この、液晶パネルを用いた画像表示装置では、液晶パネルを観察するのに適した、予め設定された角度である視野角の範囲内で液晶パネルを観察すると、正確な色彩の画像を観察することができる。
【０００４】
また、正確な色を観察可能な視野角を、より広い角度にするための技術開発が進められており、様々な提案や改良がなされている（例えば、特許文献１参照）。
【０００５】
【特許文献１】特開２０００−２７５４２２号公報
【発明の開示】
【発明が解決しようとする課題】
【０００６】
上記従来例では、適正な色を観察可能な視野角を広くすることで、より自由に正確な色彩を観察するようにしているが、観察者にとって、観察する角度によりわずかに異なる色のうち、正しい色はどの色かを判断することは難しく、誤った角度で観察して、適正な色と誤認してしまうことがあった。
【０００７】
本発明は上記問題点を鑑みてなされたものであり、液晶を用いた画像表示装置で画像を観察する際に、正しい色で画像を見ることのできる観察角度を観察者が簡単に見つけ出せるようにすることを目的とする。
【課題を解決するための手段】
【０００８】
上記目的を達成するために、本発明の液晶を用いた画像表示装置は、液晶パネルと、前記液晶パネルに周辺に配置された所定色の色参照手段と、前記液晶パネル上の少なくとも前記色参照手段に隣接する部分に、前記所定色を表示させる制御手段とを有する。
【発明の効果】
【０００９】
上記構成によれば、液晶を用いた画像表示装置で画像を観察する際に、正しい色で画像を見ることのできる観察角度を観察者が簡単に見つけ出すことができる。
【発明を実施するための最良の形態】
【００１０】
以下、添付図面を参照して本発明を実施するための最良の形態を詳細に説明する。ただし、本形態において例示される構成部品の寸法、形状、それらの相対配置などは、本発明が適用される装置の構成や各種条件により適宜変更されるべきものであり、本発明がそれらの例示に限定されるものではない。
図１は、本発明の一実施形態におけるデジタルカメラの背面の概略図である。
【００１１】
図１において、１はカメラ本体、２はカメラの電源をＯＮ／ＯＦＦするためのメインスイッチ、３はカメラを撮影モードにするか、撮影された画像を再生する再生モードにするかを切り替えるカメラモードスイッチ、４は撮影を開始するためのレリーズボタン、５は撮影する被写体を観察するためのファインダー、６はカメラに搭載されたズームレンズのズーム動作を指示するためのズームスイッチである。ズームスイッチ６は、再生モードの際には表示する画像を切り替えるための、表示画像切り替えスイッチとしても用いられ、スイッチの操作方向により現在表示している画像の前後のどちらかの画像に切り替えることができる。
【００１２】
７は撮影時や再生時に画像を表示するための液晶表示装置であり、カメラ本体１に対して前後（矢印Ａの方向）に回転したり、折り畳んで（矢印Ｂの方向）カメラ本体１に収納できるようになっている。８は液晶表示装置７の収納部である。液晶表示装置７の矢印Ａ方向への回転の状態により、液晶表示装置７を収納部８に収納したときに、液晶パネル部分がカメラ背面の外側になるようにしてカメラ本体１の背面で画像が観察できるようにしたり、液晶パネルが内側になるようにして液晶パネルの保護をしたりすることができる。
【００１３】
図２は、液晶表示装置７を詳細に説明する図である。
【００１４】
図２において、９は画像を表示するための液晶パネル、１０は液晶パネル９を支持するための部材である液晶パネル支持枠、１１、１２は適正観察位置認識用の所定色を表示するための、液晶パネル９上の所定色表示領域、１３、１４は所定色表示領域１１、１２に隣接し、適正観察位置認識用の所定色が着色された、液晶パネル支持枠１０上の参照色着色領域である。なお、ここでは、参照色着色領域が液晶パネル支持枠１０の左右領域にある場合を図示しているが、支持枠１０全体を着色しても、上下領域、上下左右領域、またはそれらの一部領域に着色しても構わない。さらに、着色部分を取り外し可能な部材で構成し、使用者が任意に取り外せるようにしてもよい。
【００１５】
上記構成では、所定色表示領域１１、１２に表示された所定色と、参照色着色領域１３、１４の所定色（参照色）とを比較することにより、表示された画像を正しい色で観察することのできる角度を見つけることができる。具体的には、所定色表示領域１１、１２に表示された所定色と、参照色着色領域１３、１４の所定色（参照色）が最も同じ色に見える観察位置を探すようにすればよい。
【００１６】
次に、上記構成を有する本発明の実施形態におけるデジタルカメラの動作を図３のフローチャートを参照して説明する。図３の処理は、デジタルカメラの電源である不図示の電池が投入されると開始され、不図示ではあるが、液晶表示装置を有するデジタルカメラ内に一般的に含まれる、ＣＰＵ等の制御部及び、液晶表示装置への表示を制御する表示制御部により制御される。
【００１７】
ステップＳ１０１では、カメラのメインスイッチ２が“ＯＮ”になっているかどうかを判断し、“ＯＮ”であればステップＳ１０２へ進み、“ＯＮ”でなければステップＳ１０１へ戻る。
【００１８】
ステップＳ１０２では、カメラモードスイッチ３が再生モードに設定されているかどうかを判断し、再生モードでなければ撮影モードであるため、ステップＳ１２０に進んで撮影処理に移行する。なお、撮影処理は本発明に直接関係がないため、詳細説明は省略する。撮影処理が終了すると、ステップＳ１２１メインスイッチ２が“ＯＮ”かどうかを確認し、“ＯＮ”であればステップＳ１０２に戻り、“ＯＮ”でなければ処理を終了する。
【００１９】
一方、再生モードであればステップＳ１０３に進み、液晶表示パネル９に再生した画像を表示し、ステップＳ１０４へ進む。ステップＳ１０４では、液晶表示パネル９上の所定色表示領域１１、１２に、液晶パネル支持枠１０上の参照色表示領域１３、１４の色と同等の色を表示して、ステップＳ１０５へ進む。
【００２０】
ステップＳ１０５では、ステップＳ１０４で所定色の表示を開始してからの経過時間を測定するために時間計測を開始し、ステップＳ１０６へ進む。
【００２１】
ステップＳ１０６では、ズームスイッチ６により現在表示されている画像の前後の画像に表示を変更する指示がされているかどうかを判断し、変更が指示されていなければステップＳ１０８へ進む。一方、変更が指示されていればステップＳ１０７へ進み、液晶表示パネルに表示している画像を、ズームスイッチ６の操作された方向に従って、カメラ本体内あるいは、カメラに装着された不図示の画像記録部から、現在表示している画像の前後の画像に切り替えて表示を行い、ステップＳ１０８へ進む。
【００２２】
ステップＳ１０８では、ステップＳ１０５で時間計測を開始してから、所定時間経過したかどうかを判断し、所定時間経過していなければステップＳ１１０に進む。一方、所定時間経過していれば、ステップＳ１０９に進み、ステップＳ１０８で液晶パネル９上の所定色表示領域１１、１２に表示された、適正観察位置を認識するための所定色表示が所定時間行われ、観察者が適正観察位置を認識したとして、所定色表示を非表示にしてステップＳ１１０に進む。
【００２３】
ステップＳ１１０では、カメラモードスイッチ３が再生モードになっているかどうかを判断し、再生モードでなければカメラのモードが再生モードから撮影モードへ切り替えられたため、ステップＳ１１１へ進んで液晶パネル９上の全ての表示を非表示にして、ステップＳ１２０の撮影処理へ移行する。一方、再生モードであればステップＳ１１２へ進む。
【００２４】
ステップＳ１１２では、カメラのメインスイッチ２が“ＯＮ”状態であるかどうかを判断し、“ＯＮ”であればステップＳ１０６へ戻って上記処理を繰り返し、“ＯＮ”でなければステップＳ１１３へ進む。
【００２５】
ステップＳ１１３では、カメラのメインスイッチ２が“ＯＦＦ”に操作されたことから、液晶パネル９上の表示を全て非表示にして、動作を終了する。
【００２６】
上述のように、デジタルカメラの液晶表示部に画像表示を行う際に、適正観察位置を認識するために、液晶表示パネル支持枠に着色された色と同一の色を、液晶パネル９上の周辺部分に一定時間表示することにより、図４に示すような液晶表示装置７と観察者１５の適正な観察角度１６を、観察者が、指示枠１０の参照色着色部１３、１４に着色された色と液晶パネル９の所定色表示部１１、１２に表示された色が最も近く見える角度にすることにより、適正な観察角度１６で画像を観察することができる。
【００２７】
なお、上記実施形態では、液晶パネル９の所定色表示領域１１、１２に、画像再生モードに切り替えられてから所定色を一定時間表示したら非表示にするようになっているが、本発明はこれに限るものではない。例えば、常時所定色を表示するようにしたり、再生画像の切り換え毎に表示したり、所定色表示の有無を切り替える操作スイッチを設けて、所定色表示の表示／非表示を切り替えるようにしても良い。
【００２８】
また、再生モードへの切替後の所定時間や、操作スイッチにより所定色表示が指示されている間など、所定のタイミングで液晶パネル９全体に所定色を表示するようにしても良い。
【００２９】
また、所定色は１色であっても、複数色を組み合わせてあっても良い。
【００３０】
また、液晶パネル９上の所定色表示領域は左右領域に限るものではなく、参照色着色領域に隣接した領域にすることが好ましい。また、一部領域だけではなく、所定時間または撮影者からＯＫの支持が得られるまで液晶パネル９全体に所定色を表示するようにしても良い。また、所定色は１色に限るものではなく、複数色を適宜組み合わせても良い。
【００３１】
さらに、上記説明では、デジタルカメラの液晶表示装置７の例を用いて説明したが、本発明はデジタルカメラの液晶表示装置に限定されるものではなく、所定色を表示領域の所定領域に表示制御可能な液晶表示装置であれば、本発明を適用することが可能である。
【図面の簡単な説明】
【００３２】
【図１】本発明の実施形態に係わるデジタルカメラ本体の背面図である。
【図２】本発明の実施形態に係わる液晶表示装置の正面図である。
【図３】本発明の実施形態に係わるデジタルカメラの動作を説明するフローチャートである。
【図４】本発明の実施形態に係わる、液晶表示装置と観察者との関係を示す図である。
【符号の説明】
【００３３】
１    カメラ本体
２    メインスイッチ
３    カメラモードスイッチ
４    レリーズボタン
５    ファインダー
６    ズームスイッチ
７    液晶表示装置
８    収納部
９    液晶パネル
１０    液晶パネル指示枠
１１、１２    所定色表示部
１３、１４    参照色着色部
１５    観察者
１６    適正な観察角度
【図１】
2005128155.tif 000003
【図２】
2005128155.tif 000004
【図３】
2005128155.tif 000005
【図４】
2005128155.tif 000006